(57)【特許請求の範囲】
【請求項１】
先端部がコの字状を呈し、このコの字状の先端が根元側に向いてフック状に曲がり、このフック状に曲がった部分が下方に傾斜している棒状部材からなり、
この棒状部材の根元は、前記棒状部材のフック状に曲がった部分が機器の操作部の真下に配されるように、全方位に回動自在に前記機器の操作部の下方の操作パネルにこの操作部と共に取り付けられ、
フック状に曲がった先端部は操作パネル表面との間に空間がおかれ、
前記棒状部材の根元部分の機器内部に光源を備え、前記棒状部材は透明または半透明の樹脂からなり、
前記棒状部材は、小物保持具を構成するとともに、ハンドレストとしても機能することを特徴とする遊技機用ハンドレスト兼機器付属小物保持具。
【発明の詳細な説明】
【技術分野】
【０００１】
本発明は、機器に付属して設けられ、小物が掛けられる遊技機用ハンドレスト兼機器付属小物保持具に関するものである。
【背景技術】
【０００２】
本発明が適用される機器として弾球遊技機がある。図４はこの弾球遊技機の一種であるパチンコ機１を示す正面図であり、このパチンコ機１はパチンコホール内において遊技機島毎に多数配置されている。
【０００３】
パチンコ機１は木枠２内に構成されており、フロントドア３の正面中央に嵌められたガラスの背後には、遊技盤４が設けられている。操作パネル５に設けられたハンドル６が遊技者によって回動操作されると、上皿７に貯留された遊技球が遊技盤４の盤面内に打ち込まれる。遊技盤４には多数本の障害釘が植設されており、打ち込まれた遊技球はこれら障害釘に弾かれながら盤面内を流下する。流下する途中に遊技球が入賞口に入賞すると、上皿７に遊技球が賞球として払い出される。この上皿７に遊技球が満杯に貯まると、遊技球は下皿８に貯留されるようになる。
【発明の開示】
【発明が解決しようとする課題】
【０００４】
しかしながら、パチンコホール内に設置された上記従来のパチンコ機１は、遊技機島毎に相互に隣接して多数設けられているため、遊技中、遊技客が手荷物等の小物を一時的に置いておくスペースはない。従って、従来遊技客は、空いている隣の遊技台の椅子の上等に手荷物を置き、遊技をしていた。このため、上記従来のパチンコ機１にあっては、遊技に熱中してしまい、隣の椅子等においた手荷物のことを忘れてしまい、手荷物を盗難されるおそれがあった。また、遊技結果を喜んだり、悔しがり、隣の椅子等に置いた手荷物を忘れて帰ることがあった。
【０００５】
また、遊技中、遊技者はハンドル６を回動操作したままの姿勢を余儀なくされる。従って、上記従来のパチンコ機１にあっては、お年寄りや女性といった体力の無い遊技者は、腕に疲労が蓄積し、ハンドル６を長時間連続操作することが困難であった。このことはパチンコ機１の稼働率が低下する一因となっていた。
【課題を解決するための手段】
【０００６】
本発明はこのような課題を解決するためになされたもので、先端部がコの字状を呈し、このコの字状の先端が根元側に向いてフック状に曲がり、このフック状に曲がった部分が下方に傾斜している棒状部材からなり、この棒状部材の根元は、前記棒状部材のフック状に曲がった部分が機器の操作部の真下に配されるように、全方位に回動自在に前記機器の操作部の下方の操作パネルにこの操作部と共に取り付けられ、フック状に曲がった先端部は操作パネル表面との間に空間がおかれ、前記棒状部材の根元部分の機器内部に光源を備え、前記棒状部材は透明または半透明の樹脂からなり、前記棒状部材は、小物保持具を構成するとともに、ハンドレストとしても機能することを特徴とする遊技機用ハンドレスト兼機器付属小物保持具を提供するものである。
【００１２】
このような構成において、フック状に曲がった先端部から小物の取っ手等を通すことにより、小物は小物保持具に掛けられる。また、フック状に曲がった棒状部材に囲まれた空間に小物を通すことによっても、小物は小物保持具に保持される。また、棒状部材のフック状に曲がった部分が機器の操作部の下方に配されることにより、機器の操作部が操作される際、小物保持具はハンドレストとしても機能する。つまり、機器操作部の操作は、小物保持具に手首や腕等を置きながら行うことが出来る。
【００１３】
また、フック状先端部が機器の中心側に向けて曲がっていると、棒状部材に取っ手等が通された小物は、機器の中心側からしか抜けない。従って、機器前面に人間が向き合っている場合には、棒状部材に通された小物は、側方から機器に近づく第三者によって簡単に引き抜くことは出来ない。
【００１４】
また、機器内部に設けられた光源から発する光が、透明または半透明の樹脂からなる棒状部材に入射すると、小物保持具は外部へ光を放つ。従って、小物保持具は照明装置としても機能する。また、この照明により、デザイン的アクセントが機器に与えられる。
【００１６】
また、弾性体によって小物保持具が上下方向に付勢されていたり、フック状に曲がった部分が所定角度で下方に傾斜していると、小物保持具と手首や腕等とはより好ましい角度で接触するようになる。従って、手首や腕等は小物保持具によりフィットした状態で支えられる。
【発明の効果】
【００１７】
以上説明したように本発明によれば、フック状に曲がった先端部から小物の取っ手等を通すことにより、小物は小物保持具に掛けられる。また、フック状に曲がった棒状部材に囲まれた空間に小物を通すことによっても、小物は小物保持具に保持される。このため、常に小物を手元に置くことが出来、小物を持ち帰るのを忘れ難くなる。また、棒状部材のフック状に曲がった部分が機器の操作部の下方に配されることにより、機器の操作部が操作される際、小物保持具はハンドレストとしても機能する。このため、機器を操作する疲労は軽減される。
【００１８】
また、フック状先端部が機器の中心側に向けて曲がっていると、棒状部材に取っ手等が通された小物は、機器の中心側からしか抜けない。従って、機器前面に人間が向き合っている場合には、棒状部材に通された小物は、側方から機器に近づく第三者によって簡単に引き抜くことは出来ない。このため、機器の使用の最中に小物が盗まれ難くなる。
【００１９】
また、機器内部に設けられた光源から発する光が、透明または半透明の樹脂からなる棒状部材に入射すると、小物保持具は外部へ光を放つ。従って、小物保持具は照明装置としても機能する。また、この照明により、デザイン的アクセントが機器に与えられる。
【００２１】
また、弾性体によって小物保持具が上下方向に付勢されていたり、フック状に曲がった部分が所定角度で下方に傾斜していると、小物保持具と手首や腕等とはより好ましい角度で接触するようになる。従って、手首や腕等は小物保持具によりフィットした状態で支えられ、機器を操作する疲労はより軽減される。
【発明を実施するための最良の形態】
【００２２】
次に、本発明による機器付属小物保持具を前述したパチンコ機に適用した一実施形態について説明する。
【００２３】
図１（ａ）は本実施形態による小物保持具１１を示す斜視図であり、図２（ａ）はこの小物保持具１１の側面図，図２（ｂ）はその平面図である。
【００２４】
小物保持具１１は、フック状に曲がった棒状部材からなり、この棒状部材の根元１１ａは、パチンコ機１の操作パネル５に設けられたハンドル６の下方に取り付けられている。また、棒状部材のフック状に曲がった先端部１１ｂは、パチンコ機１の前面との間に空間がおかれている。この先端部１１ｂは内側つまりパチンコ機１の中心側に向けて曲がっている。
【００２５】
なお、棒状部材の根元１１ａは、フロントドア３の下方の操作パネル５でなく、木枠２の下部に取り付けてもよい。
【００２６】
このような構成において、フック状に曲がった先端部１１ｂから小物、例えばバック１２の取っ手１２ａを通すことにより、バック１２は小物保持具１１に図１（ａ）に示すように掛けられる。
【００２７】
また、フック状に曲がった棒状部材に囲まれた空間１１ｃに小物を通すことによっても、小物は保持具１１に保持される。例えば、図１（ｂ）に示すように、折り畳んだ傘１３を空間１１ｃに通すことにより、傘１３は保持具１１に保持される。
【００２８】
本実施形態のようにパチンコ機１に小物保持具１１が付属していることにより、パチンコ機１の遊技客は、従来のように空いた隣の遊技台の椅子等に小物を置くことなく、常に手元に小物を置きながら遊技を行うことが可能になる。このため、小物は常に遊技客の視覚の範囲内に収まり、遊技客は遊技終了時等に小物を持ち帰るのを忘れなくなる。
【００２９】
また、フック状先端部１１ｂが内側に向けて曲がっているため、棒状部材に取っ手１２ａが通されたバック１２等の小物は、内側からしか抜けない。従って、パチンコ機１の前面に遊技客が向き合って遊技している最中に、棒状部材に通されたバック１２等の小物は、側方からパチンコ機１に近づく第三者によって簡単に引き抜くことは出来ない。
【００３０】
このため、遊技客が遊技に熱中し、パチンコ機１の遊技盤４に遊技客の視線が釘付けになっても、小物保持具１１に掛けられたバック１２等の小物は盗難されることはない。
【００３１】
また、図２（ａ）に示すように、棒状部材の根元１１ａの部分の機器内部にランプ２１を設け、棒状部材を透明または半透明のアクリル樹脂から形或することにより、ランプ２１から発する光は小物保持具１１の内部に入射する。従って、小物保持具１１は自身が外部へ光を放ち、小物保持具１１はハンドル６の周辺の照明装置としても機能する。
【００３２】
また、この照明により、パチンコ機１にデザイン的アクセントが与えられる。この際、小物保持具１１を形成するアクリル樹脂を所望の色に着色した樹脂にすることにより、小物保持具１１から放たれる光は樹脂色となり、所望のイメージを出すことも出来る。
【００３３】
また、本実施形態による小物保持具１１は、棒状部材のフック状に曲がった部分がハンドル６の下方に配されるように、棒状部材の根元１１ａが操作パネル５に取り付けられている。従って、ハンドル６が操作される際、小物保持具１１はハンドレストとしても機能する。つまり、ハンドル６の操作は、小物保持具１１に手首や腕等を置きながら行うことが出来る。
【００３４】
このため、遊技者がお年寄りや女性等の体力が無い者であっても、この小物保持具１１を手首等の支えにして遊技を行うことにより、腕に蓄積される疲労は軽減される。よって、従来よりも長い時間連続して遊技を行えるようになり、パチンコ機１の稼働率は高くなる。
【００３５】
また、本実施形態による小物保持具１１は、図２（ａ）に示すように、棒状部材のフック状に曲がった部分が所定角度で下方に傾斜している。従って、小物保持具１１と遊技者の手首や腕等とは好ましい角度で接触する。このため、遊技者の手首や腕等は小物保持具１１にフィットした状態で支えられ、ハンドル６を操作する際に腕等にかかる負担はより軽減される。
【００３６】
また、棒状部材の根元１１ａの部分を、図３に矢示する少なくとも上下方向に回動自在に、パチンコ機１に取り付ける。なお、同図において図１と同一部分には同一符号を付してその説明は省略する。そして、根元１１ａの部分の機器内部に図示しない板バネを設け、小物保持具１１を上下方向に付勢する。
【００３７】
ただし、板バネの弾性力は強めに設定し、機器前面に突出する小物保持具１１の先端は、遊技者の手首３１等からかかる僅かな力によって簡単に屈折しないようにしておく。
【００３８】
このような構成にすることにより、遊技者の手首３１等は小物保持具１１とより好ましい角度で接触するようになる。すなわち、小物保持具１１は、ある程度の遊度をもって自在に傾斜するようになり、体が大きく手首３１が太い遊技者に対しても、また、華奢な体で手首３１が細い遊技者に対しても、適当な角度を形成して手首３１に接する。
【００３９】
従って、遊技者の手首３１等は小物保持具１１によりフィットした状態で支えられ、遊技者の疲労はより軽減される。
【００４０】
また、小物保持具１１の根元１１ａを全方位に回動自在にパチンコ機１に取り付け、根元１１ａの部分の機器内部にコイルスプリングを設ける構成にしてもよい。この場合には、小物保持具１１は全方位に遊度をもって傾き、上述した効果が奏される。
【産業上の利用可能性】
【００４１】
なお、上記実施形態では本発明をパチンコ機１に適用した場合について説明したが、他の遊技機や、他の分野の工業製品に同様に適用することも可能である。
【００４２】
例えば、公衆電話や公衆電話を支える台等に、本発明による小物保持具を上述した実施形態と同様に取り付けることが出来る。この場合にも上記実施形態と同様な小物掛けとして用いることが出来、電話の最中に小物を保持させておくことが出来る。また、ランプを内蔵させることにより、コイン投入口や操作ボタン部分の照明装置として使うことも出来る。また、電話の最中、腕や肘等を掛けるハンドレストとして使うことも出来る。
【００４３】
また、缶飲料やタバコ等を販売する自動販売機にも、本発明による小物保持具を適用することが可能である。この場合には、財布からお金を出して缶飲料等を購入する間、自動販売機の前面に設けられた小物保持具に手荷物等を掛けておくことが出来る。また、機器の操作部に相当するコイン投入口付近に本発明による小物保持具を設け、コイン投入時におけるハンドレストとして用いることが出来る。このようなハンドレストは指先の震えを持つ身障者等にとって便利である。また、ランプを内蔵させることにより、夜間時におけるコイン投入口の照明装置として使用することが出来る。
【図面の簡単な説明】
【００４４】
【図１】本発明の一実施形態による機器付属小物保持具の使用例を示す斜視図である。
【図２】図１に示す機器付属小物保持具の側面および平面を示す図である。
【図３】図１に示す機器付属小物保持具をハンドレストとして用いた側面図である。
【図４】従来の機器の一例としてのパチンコ機を示す正面図である。
【符号の説明】
【００４５】
１…パチンコ機
２…木枠
５…操作パネル
６…ハンドル
１１…機器付属小物保持具
１１ａ…棒状部材の根元
１１ｂ…棒状部材の先端
１１ｃ…棒状部材のフック状曲げ部に囲まれた空間
１２…バック（小物）
１２ａ…取っ手
１３…傘（小物）
２１…ランプ
３１…手首
【図１】
0004489746.tif 000002
【図２】
0004489746.tif 000003
【図３】
0004489746.tif 000004
【図４】
0004489746.tif 000005